(57)【要約】      （修正有）【課題】風味の良好な飲料をいつでも手軽に楽しむことを可能にする容器を提供する。【解決手段】容器１は、ミネラル飲料水２を収容可能な容器本体１１と；容器本体の栓を成すキャップ３１と；ミネラル飲料水２に対して添加，混合される添加物（お茶成分等）を収容したカートリッジ４１と；カートリッジに孔をあけるための孔あけバネ６１と；を有している。飲用する際には、カートリッジを容器本体の口元の開口部に押し込むとともに、カートリッジの把手を摘まんで回転させる。その結果、孔あけバネによってカートリッジが穿孔，裂開される。このような容器によれば、飲用直前において、ミネラル飲料水に対して好みの成分を添加することにより、所望の飲料を自分で用意することができる。その結果、たとえば炒りたてで香り豊かな味わいのコーヒーや、保存料等の有害物質を含むことのない安全な飲料をいつでも手軽に楽しむことが可能になる。【選択図】図１
2006176208.tif 000002
【特許請求の範囲】
【請求項１】
内側に飲料水を収容可能に形成されており、当該飲料水を排出可能な開口部を口元部分に備えた容器本体と、
前記容器本体の栓を成すキャップと、
前記容器本体内の飲料水に対して添加，混合される添加物を収容したカートリッジと、を有することを特徴とする飲料用の容器。
【請求項２】
前記添加物は、シール材によって気密シールされた前記カートリッジ内に収容されており、
前記容器は、さらに、前記カートリッジに孔をあけるための穿孔部材を有している
ことを特徴とする請求項１記載の飲料用の容器。
【請求項３】
前記穿孔部材は、前記容器本体の口元部分内側の開口部に配置されており、
前記飲料水に前記添加物を添加する際には、シール材が前記穿孔部材側を向いた状態で前記カートリッジを前記容器の開口部を介して押し込み、その結果、前記穿孔部材によって前記シール材が穿孔されるようになっている
ことを特徴とする請求項２記載の飲料用の容器。
【請求項４】
前記カートリッジは把手を備えており、
前記飲料水に前記添加物を添加する際には、シール材が前記穿孔部材側を向いた状態で前記カートリッジを前記容器の開口部を介して押し込むとともに、前記把手を摘まんで前記カートリッジを回転させ、その結果、穿孔部材によって前記シール材が穿孔，裂開されるようになっている
ことを特徴とする請求項３記載の飲料用の容器。
【請求項５】
前記容器本体は、
略円筒状に形成された口元部分と、
前記口元部分の内側通路を閉塞するように設けられており、前記容器を気密シールするためのシール材と、を有しており、
前記穿孔部材は、
前記容器本体の口元部分に設けられたシール材の上側に載置されており、
前記カートリッジのシール材を穿孔するための突起と、
前記容器本体のシール材を穿孔するための突起と、を有している
ことを特徴とする請求項３又は４記載の飲料用の容器。
【請求項６】
前記容器本体は、
略円筒状に形成された口元部分と、
前記口元部分の下端又は途中の内壁から突出するように設けられた略環状の段部と、
前記口元部分の内側通路を閉塞するように前記段部上に貼付されており、前記容器を気密シールするためのシール材と、を有しており、
前記穿孔部材は、
前記口元部分の内側通路を通行可能であるが、前記段部を通過することが不可能な形状および寸法を有するように形成され、前記容器本体の口元部分に設けられたシール材の上側に載置されており、
前記カートリッジのシール材を穿孔するための突起と、
前記容器本体のシール材を穿孔するための突起と、を有しており、
前記カートリッジは、
前記口元部分の内側通路を通行可能であるが、前記段部を通過することが不可能な形状および寸法を有するように形成されている
ことを特徴とする請求項３又は４記載の飲料用の容器。
【請求項７】
前記穿孔部材は弾性材料から形成されており、
前記飲料水に前記添加物を添加する際において、
シール材が前記穿孔部材側を向いた状態で前記カートリッジを前記容器の開口部を介して押し込むと、前記穿孔部材が弾性変形するとともに、突起によって前記シール材が穿孔され、
穿孔完了後に前記カートリッジに対する押圧を弱めると、弾性変形した前記穿孔部材の復元力によって前記カートリッジが押し戻されるとともに、前記突起が前記シール材から引き抜かれるようになっている
ことを特徴とする請求項５又は６記載の飲料用の容器。
【請求項８】
前記穿孔部材は、略Ｓ字状のバネ形状を有する弾性部材から成ることを特徴とする請求項２乃至７のいずれかに記載の飲料用の容器。
【請求項９】
前記カートリッジは、前記キャップの内側に収容されていることを特徴とする請求項１乃至８のいずれかに記載の飲料用の容器。
【請求項１０】
前記キャップは、コップ形状を有するように形成されていることを特徴とする請求項１乃至９のいずれかに記載の飲料用の容器。
【請求項１１】
飲料水と、当該飲料水に対して添加，混合される添加物と、を内側に収容可能に形成された容器本体と、
前記容器本体に形成され、飲用時においてストローが挿通するようになっている挿通孔と、
前記容器本体の内側を、飲料水収容空間と添加物収容空間の２区画に分割するための隔壁部材と、を有しており、
飲用時においてストローを前記挿通孔に挿通させ、当該ストローの先端部で前記隔壁部材を押圧することによって、当該隔壁部材の全部又は一部が裂開又は開口して前記飲料水収容空間と前記添加物収容空間とが連通状態になり、その結果、前記添加物が飲料水に対して添加，混合されるようになっていることを特徴とする飲料用の容器。
【請求項１２】
前記隔壁部材は、前記容器本体の内側空間を上下２区画に分割するように配され、
前記隔壁部材の一部は、前記容器本体の内壁に接着されている
ことを特徴とする請求項１１記載の飲料用の容器。
【請求項１３】
前記隔壁部材は、吐出口を閉じた略ホッパ状に形成されていることを特徴とする請求項１１又は１２記載の飲料用の容器。
【請求項１４】
前記容器本体は断面矩形の形状を有しており、
前記添加物は前記隔壁部材の上側空間に収容されるようになっており、
前記略ホッパ状の隔壁部材は、
上面側に前記添加物が載置される隔壁本体と、
前記容器本体の内壁に対して接着される接着片と、
前記隔壁本体と前記容器本体の内壁との間から前記添加物が落下するのを防止するための落下防止壁と、を有していることを特徴とする請求項１３記載の飲料用の容器。
【請求項１５】
前記隔壁部材の隔壁本体には、当該隔壁本体の裂開を容易にするための断面略Ｖ字状のノッチ及び／又はミシン目が形成されており、
飲用時にストローの先端部を前記隔壁本体に突き当て押圧することによって、当該隔壁本体が前記ノッチ又はミシン目に沿って裂開し、その結果、当該裂開部を介して前記添加物が落下して飲料水に対して添加，混合されるようになっている
ことを特徴とする請求項１４記載の飲料用の容器。
【請求項１６】
前記隔壁部材は、一枚のシート状部材を折り曲げ加工することによって形成されていることを特徴とする請求項１１乃至１５のいずれかに記載の飲料用の容器。
【請求項１７】
前記容器本体は、前記飲料水を収容する部分と、前記添加物を収容する部分とが別体になるように形成されていることを特徴とする請求項１１乃至１６のいずれかに記載の飲料用の容器。
【請求項１８】
前記隔壁部材は、
吐出口を有する略ホッパ状に形成された隔壁本体と、
前記容器本体の内壁に対して接着される接着部と、
前記吐出口を閉塞するように前記隔壁本体に連結された閉塞部材と、を有しており、
飲用時にストローの先端部を前記閉塞部材に突き当て押圧することによって、当該閉塞部材が押し開けられて前記吐出口が開口し、当該吐出口を介して前記添加物が落下して飲料水に対して添加，混合されるようになっていることを特徴とする請求項１１記載の飲料用の容器。
【請求項１９】
ストローを備えていることを特徴とする請求項１１乃至１８のいずれかに記載の飲料用の容器。
【請求項２０】
前記添加物は、
お茶成分，コーヒー成分，辛味成分，香料，果汁，糖類，塩，乳酸菌，ビタミン，ミネラル，アミノ酸，及びコラーゲンから選ばれた少なくとも１種を含有し、
粉末状，顆粒状，タブレット状，液体状，及びペースト状のいずれかの形態を有していることを特徴とする請求項１乃至１９のいずれかに記載の飲料用の容器。
【発明の詳細な説明】
【技術分野】
【０００１】
本発明は飲料用の容器に関し、特に、保存料等の有害物質を含むことのない安全な飲料をいつでも手軽に楽しむことを可能にする容器に関する。
【背景技術】
【０００２】
現在市販されている飲料には様々な種類のものがあり、その多くは、たとえば図１６に示すような形状のＰＥＴボトルに収容された状態で販売されている。
【０００３】
しかしながら、飲料の種類によっては、品質を保持するための酸化防止剤などが添加されているものがある。また、時間の経過に伴って風味が損なわれるものもある。
【０００４】
したがって、人体に良好で且つ風味の良好な飲料を楽しむ観点からは、飲用直前において、飲料水あるいは天然のミネラルウォーターに好みの成分（お茶成分やコーヒー成分）を添加して、所望の飲料を自分で用意することが好ましい。
【発明の開示】
【発明が解決しようとする課題】
【０００５】
そこで、上述した背景に鑑み、本発明の目的は、風味の良好な飲料（たとえば炒りたてで香り豊かな味わいのコーヒー）や、保存料等の有害物質を含むことのない安全な飲料を、いつでも手軽に楽しむことを可能にする容器を提供することにある。
【課題を解決するための手段】
【０００６】
このような目的は、下記（１）〜（２０）記載の本発明によって達成される。
【０００７】
（１）  内側に飲料水を収容可能に形成されており、当該飲料水を排出可能な開口部を口元部分に備えた容器本体と；前記容器本体の栓を成すキャップと；前記容器本体内の飲料水に対して添加，混合される添加物を収容したカートリッジと；を有することを特徴とする飲料用の容器。
【０００８】
（２）  前記添加物はシール材によって気密シールされた前記カートリッジ内に収容されており、前記容器はさらに前記カートリッジに孔をあけるための穿孔部材を有していることを特徴とする上記（１）記載の飲料用の容器。
【０００９】
（３）  前記穿孔部材は、前記容器本体の口元部分内側の開口部に配置されており、
前記飲料水に前記添加物を添加する際には、シール材が前記穿孔部材側を向いた状態で前記カートリッジを前記容器の開口部を介して押し込み、その結果、前記穿孔部材によって前記シール材が穿孔されるようになっていることを特徴とする上記（２）記載の飲料用の容器。
【００１０】
（４）  前記カートリッジは把手を備えており、前記飲料水に前記添加物を添加する際には、シール材が前記穿孔部材側を向いた状態で前記カートリッジを前記容器の開口部を介して押し込むとともに、前記把手を摘まんで前記カートリッジを回転させ、その結果、穿孔部材によって前記シール材が穿孔，裂開されるようになっていることを特徴とする上記（３）記載の飲料用の容器。
【００１１】
（５）  前記容器本体は、略円筒状に形成された口元部分と；前記口元部分の内側通路を閉塞するように設けられており、前記容器を気密シールするためのシール材と、を有しており、
前記穿孔部材は、前記容器本体の口元部分に設けられたシール材の上側に載置されており；前記カートリッジのシール材を穿孔するための突起と；前記容器本体のシール材を穿孔するための突起と；を有していることを特徴とする上記（３）又は（４）記載の飲料用の容器。
【００１２】
（６）  前記容器本体は、略円筒状に形成された口元部分と；前記口元部分の下端又は途中の内壁から突出するように設けられた略環状の段部と；前記口元部分の内側通路を閉塞するように前記段部上に貼付されており、前記容器を気密シールするためのシール材と；を有しており、
前記穿孔部材は、前記口元部分の内側通路を通行可能であるが、前記段部を通過することが不可能な形状および寸法を有するように形成され、前記容器本体の口元部分に設けられたシール材の上側に載置されており；前記カートリッジのシール材を穿孔するための突起と；前記容器本体のシール材を穿孔するための突起と；を有しており、
前記カートリッジは、前記口元部分の内側通路を通行可能であるが、前記段部を通過することが不可能な形状および寸法を有するように形成されていることを特徴とする上記（３）又は（４）記載の飲料用の容器。
【００１３】
（７）  前記穿孔部材は弾性材料から形成されており、
前記飲料水に前記添加物を添加する際において、
シール材が前記穿孔部材側を向いた状態で前記カートリッジを前記容器の開口部を介して押し込むと、前記穿孔部材が弾性変形するとともに、突起によって前記シール材が穿孔され、
穿孔完了後に前記カートリッジに対する押圧を弱めると、弾性変形した前記穿孔部材の復元力によって前記カートリッジが押し戻されるとともに、前記突起が前記シール材から引き抜かれるようになっていることを特徴とする上記（５）又は（６）記載の飲料用の容器。
【００１４】
（８）  前記穿孔部材は、略Ｓ字状のバネ形状を有する弾性部材から成ることを特徴とする上記（２）乃至（７）のいずれかに記載の飲料用の容器。
【００１５】
（９）  前記カートリッジは、前記キャップの内側に収容されていることを特徴とする上記（１）乃至（８）のいずれかに記載の飲料用の容器。
【００１６】
（１０）  前記キャップは、コップ形状を有するように形成されていることを特徴とする上記（１）乃至（９）のいずれかに記載の飲料用の容器。
【００１７】
（１１）  飲料水と、当該飲料水に対して添加，混合される添加物と、を内側に収容可能に形成された容器本体と、
前記容器本体に形成され、飲用時においてストローが挿通するようになっている挿通孔と、
前記容器本体の内側を、飲料水収容空間と添加物収容空間の２区画に分割するための隔壁部材と、を有しており、
飲用時においてストローを前記挿通孔に挿通させ、当該ストローの先端部で前記隔壁部材を押圧することによって、当該隔壁部材の全部又は一部が裂開又は開口して前記飲料水収容空間と前記添加物収容空間とが連通状態になり、その結果、前記添加物が飲料水に対して添加，混合されるようになっていることを特徴とする飲料用の容器。
【００１８】
（１２）  前記隔壁部材は、前記容器本体の内側空間を上下２区画に分割するように配され、
前記隔壁部材の一部は、前記容器本体の内壁に接着されている
ことを特徴とする上記（１１）記載の飲料用の容器。
【００１９】
（１３）  前記隔壁部材は、吐出口を閉じた略ホッパ状に形成されていることを特徴とする上記（１１）又は（１２）記載の飲料用の容器。
【００２０】
（１４）  前記容器本体は断面矩形の形状を有しており、
前記添加物は前記隔壁部材の上側空間に収容されるようになっており、
前記略ホッパ状の隔壁部材は、
上面側に前記添加物が載置される隔壁本体と、
前記容器本体の内壁に対して接着される接着片と、
前記隔壁本体と前記容器本体の内壁との間から前記添加物が落下するのを防止するための落下防止壁と、を有していることを特徴とする上記（１３）記載の飲料用の容器。
【００２１】
（１５）  前記隔壁部材の隔壁本体には、当該隔壁本体の裂開を容易にするための断面略Ｖ字状のノッチ及び／又はミシン目が形成されており、
飲用時にストローの先端部を前記隔壁本体に突き当て押圧することによって、当該隔壁本体が前記ノッチ又はミシン目に沿って裂開し、その結果、当該裂開部を介して前記添加物が落下して飲料水に対して添加，混合されるようになっている
ことを特徴とする上記（１４）記載の飲料用の容器。
【００２２】
（１６）  前記隔壁部材は、一枚のシート状部材を折り曲げ加工することによって形成されていることを特徴とする上記（１１）乃至（１５）のいずれかに記載の飲料用の容器。
【００２３】
（１７）  前記容器本体は、前記飲料水を収容する部分と、前記添加物を収容する部分とが別体になるように形成されていることを特徴とする上記（１１）乃至（１６）のいずれかに記載の飲料用の容器。
【００２４】
（１８）  前記隔壁部材は、
吐出口を有する略ホッパ状に形成された隔壁本体と、
前記容器本体の内壁に対して接着される接着部と、
前記吐出口を閉塞するように前記隔壁本体に連結された閉塞部材と、を有しており、
飲用時にストローの先端部を前記閉塞部材に突き当て押圧することによって、当該閉塞部材が押し開けられて前記吐出口が開口し、当該吐出口を介して前記添加物が落下して飲料水に対して添加，混合されるようになっていることを特徴とする上記（１１）記載の飲料用の容器。
【００２５】
（１９）  ストローを備えていることを特徴とする上記（１１）乃至（１８）のいずれかに記載の飲料用の容器。
【００２６】
（２０）  前記添加物は、
お茶成分，コーヒー成分，辛味成分，香料，果汁，糖類，塩，乳酸菌，ビタミン，ミネラル，アミノ酸，及びコラーゲンから選ばれた少なくとも１種を含有し、
粉末状，顆粒状，タブレット状，液体状，及びペースト状のいずれかの形態を有していることを特徴とする上記（１）乃至（１９）のいずれかに記載の飲料用の容器。
【発明の効果】
【００２７】
上記（１）記載の本発明によれば、容器は、飲料水に対して添加，混合される添加物（お茶，コーヒー，各種ビタミンなどの無害成分）を収容したカートリッジを備えている。したがって、飲用直前において、飲料水に対して、好みの成分を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
また、カートリッジに収容された添加物を自分の手で添加，混合することにより、自分に合った飲料（たとえば、好みの風味の飲料や、自分に不足している栄養分を含有した飲料）を自らの手で用意するといった作業を手軽に楽しむことができる。
さらに、保存状態に問題がなければ、一般的に未開栓の飲料水（たとえばＰＥＴボトル入りのナチュラルミネラル飲料水）は、他の清涼飲料と比較して賞味期限が長い。したがって、本発明の容器を災害時のための保存飲料用容器として利用することにより、万が一災害が発生した場合であっても、水以外にも様々なタイプの飲料を迅速に提供することができる。その結果、精神面・健康面において被災者をサポートすることができる。
【００２８】
上記（２）記載の本発明によれば、カートリッジのシール材を簡単に穿孔することができる。その結果、カートリッジ内の添加物を、迅速に飲料水に添加することができる。また、カートリッジはシール材によって気密シールされているので、中身の添加物の状態を長期間に亘って良好に保つことができる。
【００２９】
上記（３）記載の本発明によれば、カートリッジを容器本体の開口部に押し込むだけで、カートリッジのシール材が穿孔される。そして、収容された添加物が、穿孔を介して自重により落下するので、添加物を簡単に飲料水に添加することができる。
【００３０】
上記（４）記載の本発明によれば、カートリッジを容器の開口部に押し込む際に、その把手を掴みながら回転させることができるようになっている。その結果、カートリッジのシール材を幅広く切り裂くことができるので、カートリッジから添加物を落下させ易くなる。その結果、添加物をより簡単に飲料水に添加することができる。
【００３１】
上記（５）記載の本発明によれば、容器本体は、シール材によって気密シールされるようになっている。その結果、容器内部の飲料水の状態を長期間に亘って良好に保つことができる。
また、カートリッジのシール材を穿孔するための突起と、容器本体のシール材を穿孔するための突起とを備えた穿孔部材が、容器本体の口元部分に設けられたシール材の上側に載置されるようになっている。その結果、カートリッジを容器の開口部に押し込むだけで、容器本体及びカートリッジの双方のシール材を同時に穿孔することができる。
【００３２】
上記（６）記載の本発明によれば、上記（５）記載の本発明と同様の効果を達成することができる。加えて、本発明においては、容器本体には、口元部分の下端又は途中の内壁から突出するように設けられた略環状の段部が設けられている。そして、穿孔部材及びカートリッジは、段部を超えて容器本体の内側へ進入しないようになっているので、カートリッジの押込み操作の際に、カートリッジ及び穿孔部材が飲料水中に落下することを防止することができる。
また、段部は、口元部分の下端又は途中の内壁から突出するように設けられているので、押し込み操作の際に、口元部分の内壁の一部がガイドとなって、段部より上側でカートリッジをスライドさせることができる。その結果、カートリッジの押し込み・引き抜き操作を安定的に且つ迅速に行うことが可能になる。
【００３３】
上記（７）記載の本発明によれば、添加物の投下が完了してカートリッジの押込みを止めると、弾性変形した穿孔部材の復元力によってカートリッジが口元の先端（初期位置）へ押し戻されるようになっている。したがって、本発明によれば、添加物の投下を迅速に行うことができるだけでなく、容器本体の口元部分からカートリッジを簡単かつ確実に取り去ることもできる。
【００３４】
上記（８）記載の本発明によれば、シール材の穿孔とカートリッジの押し戻しを確実に行うことができる。
【００３５】
上記（９）記載の本発明によれば、栓をした状態のキャップの内側にカートリッジを収容することができる。その結果、カートリッジを容器の外側に装着する必要がないので、容器の搬送時や販売時において嵩張ることがなく、またカートリッジが容器から離脱することもない。
【００３６】
上記（１０）記載の本発明によれば、キャップをコップとして利用することができるので、口元部分に直接口を付けて飲用することを避けることができる。その結果、引用時に口内の雑菌が飲料に混入すること防止することができるので、容器内の飲料の衛生状態を良好に保つことができる。
【００３７】
上記（１１）記載の本発明によれば、容器本体には、飲料水だけでなく、当該飲料水に対して添加，混合される添加物（お茶，コーヒー，各種ビタミンなどの無害成分）が収容されている。この添加物は、飲用直前までは、隔壁部材によって飲料水から完全に隔離された状態で収容されている。そして、飲用時にストローを刺し込むことにより、当該ストローの先端部で隔壁部材が破られて、添加物と飲料水とが混じり合うようになっている。
したがって、飲用直前において、飲料水に対して好みの成分を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
また、ストローを差し込む行為を通じて添加物を添加，混合することにより、自分に合った飲料（たとえば、好みの風味の飲料や、自分に不足している栄養分を含有した飲料）を自らの手で用意するといった作業を手軽に楽しむことができる。しかも、単にストローを刺し込むだけで、添加物が飲料水に添加，混合されるので、飲用の前準備が極めて簡単である。
さらに、保存状態に問題がなければ、一般的に未開栓の飲料水（たとえばＰＥＴボトル入りのナチュラルミネラル飲料水）は、他の清涼飲料と比較して賞味期限が長い。したがって、本発明の容器を災害時のための保存飲料用容器として利用することにより、万が一災害が発生した場合であっても、水以外にも様々なタイプの飲料を迅速に提供することができる。その結果、精神面・健康面において被災者をサポートすることができる。
【００３８】
上記（１２）記載の本発明によれば、容器本体の内側空間は、隔壁部材によって上下２区画（飲料水収容空間と添加物収容空間）に分割されている。したがって、ストローで隔壁部材を裂開させれば、添加物及び飲料水の何れか一方が自重により落下する。よって、添加物と飲料水との混合作業を簡単に行うことができる。
【００３９】
上記（１３）記載の本発明によれば、隔壁部材は、吐出口を閉じた略ホッパ状に形成されている。そのため、飲用時にストローで裂開することによって吐出口が形成され、添加物又は飲料水を下方へ円滑に落下させることができる。その結果、添加物と飲料水との混合作業を円滑に行うことができる。
【００４０】
上記（１４）記載の本発明によれば、容器の製造時において、容器本体の内壁に対して隔壁部材を確実に接着固定することができる。また、製造後において、隔壁本体と容器本体の内壁との間から添加物が落下するのを防止することができる。
【００４１】
上記（１５）記載の本発明によれば、隔壁本体にはノッチ及び／又はミシン目が形成されているので、ストローを突き当て押し込んだ際に隔壁本体を簡単かつ確実に裂開することができる。
【００４２】
上記（１６）記載の本発明によれば、隔壁部材は、一枚のシート状部材を折り曲げ加工することによって形成されている。したがって、少ない部材で隔壁部材を簡単に作ることができるので、結果として本発明に係る容器を安価に提供することが可能になる。
【００４３】
上記（１７）記載の本発明によれば、容器本体は、飲料水を収容する部分と、添加物を収容する部分とが別体になるように形成されている。したがって、容器の製造時において、容器本体への飲料水の注入工程と、容器本体への隔壁部材の取り付け工程とを、並行して行うことができるので、結果として容器全体を短時間で効率的に製造することが可能になる。
【００４４】
上記（１８）記載の本発明によれば、飲用時にストローを閉塞部材に突き当てることによって、閉塞部材が開き、吐出口が開口するようになっている。したがって、極めて単純な作業で添加物又は飲料水を下方へ円滑に落下させることができるので、添加物と飲料水との混合作業を円滑に行うことができる。
【００４５】
上記（１９）記載の本発明によれば、容器は予めストローを備えており、飲用にあたって別途ストローを容易する必要がないので、飲用者にとって極めて都合がよい。
【００４６】
上記（２０）記載の本発明によれば、個々の飲用者の健康状態や好みに応じて、様々なタイプの飲料を提供することが可能になる。
【発明を実施するための最良の形態】
【００４７】
以下、添付図面に基づいて、本発明に係る飲料用容器の実施形態について詳細に説明する。
【００４８】
〔第１実施形態に係る容器の概略構成〕
まず最初に、図１に基づいて、第１実施形態に係る本発明の容器１の概略構成を説明する。
図１は、第１実施形態に係る本発明の飲料用容器１の主要部分を示す縦断面図である（カートリッジ４については側面図で示す）。
【００４９】
第１実施形態に係るに係る飲料用の容器１は、ＰＥＴ（Polyethylene Terephthalate）製の容器本体１１と、コップとしても利用可能なキャップ３１と、後述する添加物（風味の素となる成分等）が充填されたカートリッジ４１と、当該カートリッジに孔をあけるための穿孔部材（孔あけバネ）６１と、を有している。
【００５０】
容器本体１１には、ミネラル飲料水２がアルミ箔１７によって気密シールされた状態で収容されている。この飲料水２を飲用する際には、カートリッジ４１を下方へ押し込んで当該カートリッジに孔をあけ、中身の添加物を投下してミネラル飲料水２に添加する。
【００５１】
〔容器本体及びキャップ〕
次に、図１及び図２に基づいて、容器１の一部を成す容器本体１１及びキャップ３１の構成を詳細に説明する。
図２は、図１の容器１が有する容器本体１１を示す縦断面図である。
【００５２】
容器本体１１は、内側にミネラル飲料水２を収容可能に形成されており、図２に示すように略円筒状に形成された口元部分１３と、略環状の段部１５と、容器本体１１を気密シールするためのアルミ箔（シール材）１７と、を有している。
【００５３】
略円筒状の口元部分１３の内側には、ミネラル飲料水２を外側へ排出可能な開口部（通路）１９が形成されている。
【００５４】
略環状の段部１５は、図２に示すように、口元部分１３の下端の内壁側から突出するように形成されている。なお、段部１５は、口元部分１３の内壁の途中付近に形成するようにしてもよい。
【００５５】
シール材を成すアルミ箔１７は、図１に示すように、口元部分１３の内側通路を閉塞するように段部１５上に貼付されており、容器本体１１を気密シールするようになっている。
【００５６】
容器本体１１の栓を成すキャップ３１は、コップ形状を有するように形成されている。飲用時においては、取り外したキャップ３１をコップとして利用することができるようになっている。
【００５７】
〔カートリッジ〕
次に、図３に基づいて、容器１の一部を成すカートリッジ４１の構成を詳細に説明する。
図３は、図１の容器１が有するカートリッジ４１を示す図である。この図３において、図３（Ａ）はカートリッジ４１を示す斜視図である。図３（Ｂ）はカートリッジ４１を示す上面図である。図３（Ｃ）は図３（Ｂ）のｂ−ｂ線に沿った断面図である。
【００５８】
図３（Ｃ）に示すように添加物３が充填されたカートリッジ４１は、主として、円筒状の側壁４３と、当該側壁４３に一体的に形成された天板４５と、側壁４３の下端側に一体的に形成されたフランジ部４７と、当該フランジ部の底面側に貼付されたアルミ箔（シール材）４９と、を有している。
【００５９】
天板４５の上面側は湾曲凹状（すり鉢状）に形成されており、その中央付近には突起状の把手４６が一体的に設けられている。
【００６０】
カートリッジ４１の内側には、容器本体１１内のミネラル飲料水２に対して添加，混合される添加物３（たとえば風味の素や栄養素など）が収容されている。添加物３は、図３（Ｃ）に示すようにアルミ箔４９によって気密シールされた状態でカートリッジ４１内に収容されている。
【００６１】
上記構成のカートリッジ４１は、容器本体１１の口元部分１３の内側通路を通行可能であるが、段部１５を通過することが不可能な形状および寸法を有するように形成されている。すなわち、本実施形態において、カートリッジ４１のフランジ部４７は、容器本体１１の環状段部１５の内径よりも大きな外径を有するように形成されている。これにより、カートリッジの押込み操作の際には、フランジ部４７が段部１５に引っ掛かるので、当該カートリッジ４１の飲料水中への落下が防止されるようになっている。
【００６２】
飲用する前においては、上記カートリッジは、図１に示すようにキャップ３１内に収容された状態で、穿孔部材６１の上に載置されている。
【００６３】
カートリッジ４１に充填される添加物３の種類は特に限定されないが、その例としては、たとえばお茶成分，コーヒー成分，辛味成分，香料，果汁，糖類，塩，乳酸菌，各種ビタミン，ミネラル，アミノ酸，及びコラーゲンのいずれか１種、又はこれらの２種以上の混合物を挙げることができる。添加物の形態は特に限定されず、粉末状，顆粒状，タブレット状，液体状，ペースト状のいずれであってもよい。粉末状または顆粒状の添加物を用いる場合には、当該添加物をフリーズドライ製法により製造してもよい。
【００６４】
上記お茶成分の例としては、たとえば、緑茶，梅昆布茶，番茶，焙じ茶，紅茶などの成分が挙げられる。
【００６５】
また、上記果汁の例としては、たとえば、レモン，リンゴ，桃，ブルーベリーなどの果汁が挙げられる。
【００６６】
このように、カートリッジ４１は様々な種類の添加物を収容することができるので、その結果、個々の飲用者の健康状態や好みに応じた、様々なタイプの飲料を提供することが可能になる。
【００６７】
〔穿孔部材〕
次に、図４に基づいて、容器１の一部を成す穿孔部材６１の構成を詳細に説明する。
図４は、図１の容器１が有する穿孔部材６１を示す図である。この図４において、図４（Ａ）は穿孔部材６１を示す上面図である。図４（Ｂ）は穿孔部材６１を示す側面図である。
【００６８】
孔あけバネである穿孔部材６１は、略Ｓ字状のバネ形状を有する弾性部材から成り、カートリッジ４１のアルミ箔４９を穿孔するための上突起６３と、容器本体１１のアルミ箔１７を穿孔するための下突起６５と、を有している。
【００６９】
また、穿孔部材６１は、容器本体１１の口元部分１３の内側通路を通行可能であるが、段部１５を通過することが不可能な形状および寸法を有するように形成されている（図１参照）。これにより、カートリッジ４１の押込み操作の際には、穿孔部材６１の端が段部１５に引っ掛かるので、穿孔部材６１の飲料水中への落下が防止されるようになっている。
【００７０】
上述した構成の穿孔部材６１は、図１に示すように、容器本体１１の口元部分１３内側の開口部１９に配置され、アルミ箔１７の上側に載置されている。
【００７１】
〔第１実施形態に係る容器を用いた飲用手順〕
次に、図５〜図８に基づいて、容器１を用いた飲料の飲用手順について説明する。
【００７２】
飲用する際には、まず、図５に示すようにキャップ３１を回転させながら取り外し、開栓する。続いて、容器本体１１内のミネラル飲料水２に、カートリッジ４１内の添加物３を添加する作業を行う。
【００７３】
ミネラル飲料水２に添加物３を添加する際には、図６に示すように、カートリッジ４１のアルミ箔４９が穿孔部材６１の側を向いた状態で当該カートリッジを開口部１９を介して押し込む。このとき、口元部分の内壁がガイドとなって、段部１５より上側でカートリッジ４１をスライドさせることができる。その結果、カートリッジ４１の押し込み・引き抜き操作を安定的に且つ迅速に行うことが可能になる。
【００７４】
そして、カートリッジ４１を押し込むと、図６に示すように穿孔部材６１が弾性変形するとともに、突起６３，６５によってアルミ箔１７，４９が穿孔される。続いて、把手４６を摘まんでカートリッジを１／４回転ほど回転させると、穿孔部材６１の突起６３，６５によってアルミ箔１７，４９が幅広く裂開される。これにより、カートリッジ内部の添加物３が自重により落下し始め、飲料水中へ投下される。
【００７５】
そして、添加物３の投下が完了したら、カートリッジ４１に対する押圧を弱める。すると、弾性変形した穿孔部材６１の復元力によって、カートリッジ４１が図５に示す初期位置に押し戻されるとともに、突起６３，６５がアルミ箔１７，４９から引き抜かれる。
【００７６】
次に、図７に示すように、容器本体１１の口元部分の内側からカートリッジ４１及び穿孔部材６１を抜き取る。そして、必要に応じてキャップ３１で栓をして、容器本体１１をよく振って、ミネラル飲料水２と添加された添加物３とを十分に混合させる。
【００７７】
混合を終えたら再びキャップ３１を取り外し、ミネラル飲料水２と添加物３とをミックスした飲料を飲用する。その際には、取り外したキャップ３１をコップとして利用しもよい。これにより、口元部分に直接口を付けて飲用することを避けることができる。その結果、引用時に口内の雑菌が飲料に混入すること防止することができるので、容器内の飲料の衛生状態を良好に保つことができる。
【００７８】
飲用を終えたときに容器に飲料が残っている場合には、必要に応じて、図８に示すように再びキャップ３１で栓をして保管してもよい。
【００７９】
〔第１実施形態に係る容器によって達成される優れた効果〕
上述した本発明によれば、容器１は、ミネラル飲料水２に対して添加，混合される添加物３（お茶，コーヒー，各種ビタミンなどの無害成分）が充填されたカートリッジ４１を備えている。したがって、飲用直前において、ミネラル飲料水２に対して、好みの成分を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
【００８０】
また、カートリッジ４１に収容された添加物３を自分の手で添加，混合することにより、自分に合った飲料（たとえば、好みの風味の飲料や、自分に不足している栄養分を含有した飲料）を自らの手で用意するといった作業を手軽に楽しむことができる。
【００８１】
さらに、本発明によれば、カートリッジ４１を容器本体１１の開口部１９に押し込むだけで、当該カートリッジ４１のアルミ箔４９が穿孔される。そして、収容された添加物３が、穿孔を介して自重により落下するので、添加物３を簡単にミネラル飲料水２に添加することができる。しかも、本発明によれば、カートリッジ４１を押し込む際に、その把手４６を掴みながら回転させることができるようになっている。その結果、カートリッジ４１のアルミ箔４９を幅広く切り裂くことができるので、カートリッジ４１から添加物３を落下させ易くなる。その結果、添加物３をより簡単にミネラル飲料水２に対して添加することができる。
【００８２】
さらに、本発明によれば、添加物３の投下が完了してカートリッジ４１の押込みを止めると、弾性変形した穿孔部材６１の復元力によってカートリッジ４１が口元の先端（初期位置）へ押し戻されるようになっている。したがって、本発明によれば、添加物３の投下を迅速に行うことができるだけでなく、容器本体１１の口元部分１３からカートリッジ４１を簡単かつ確実に取り去ることもできる。
【００８３】
〔第２実施形態に係る容器の概略構成〕
次に、図９〜図１１に基づいて、第２実施形態に係る本発明の容器４の概略構成を説明する。
図９は、第２実施形態に係る本発明の飲料用容器４を示す斜視図である。
図１０（Ａ）は、図９の容器を上面側から見た透視図である（図中の破線は隔壁部材５に形成されたノッチ５８である）。図１０（Ｂ）は、図９の容器を側面側から見た透視図である。
図１１は、図９の容器の内部構成を示す斜視図である。
【００８４】
第２実施形態に係る本発明の容器４は、断面矩形の形状を有する直方体の容器本体２１（たとえば紙製あるいは樹脂製）と、該容器本体に形成された挿通孔２２と、該挿通孔をシールするシール部材（図示省略）と、透明ビニール袋に収容されたストロー２３と、容器本体２１の内側を「飲料水収容空間」と「添加物収容空間」の上下２区画に分割する隔壁部材５と（図１０（Ｂ）参照）、を有している。
【００８５】
容器本体２１は、図１０（Ｂ）に示すように、ミネラル飲料水２と、当該飲料水に対して添加混合される添加物３と、を内側に収容可能に形成されている。この容器本体２１は、主として、ミネラル飲料水２を収容する部分（飲料水収容部２８）と、添加物を収容する部分（添加物収容部２９）とから構成されている。飲料水収容部２８と添加物収容部２９とは別体のものとして構成されており、内容物（飲料水及び添加物）が漏出しないように気密シールされた状態で継ぎ合わせてある（図９参照）。
【００８６】
容器本体２１に形成された挿通孔２２には、飲用時においてストロー２３が挿通するようになっている。容器本体２１の内側に設けられた断面略すり鉢状の隔壁部材５は、図１０（Ｂ）に示すように、吐出口を閉じた略ホッパ状に形成されている。本実施形態において、添加物３は隔壁部材５の上に載置されるようになっている。なお、添加物３の成分や形態等は、上述した第１実施形態と同様である。
【００８７】
〔隔壁部材の構成〕
次に、図１０及び図１１を参照しながら、図１２に基づいて隔壁部材５の構成について詳細に説明する。
図１２（Ａ）は、容器本体２１内に取り付けられている状態の隔壁部材５を示す斜視図である（容器本体２１については図示を省略）。図１２（Ｂ）は、図１２（Ａ）の隔壁部材５を展開した状態を示す斜視図である。
【００８８】
略ホッパ状の隔壁部材５は、図１０（Ｂ）に示すように、容器本体２１の内側空間を上下２区画（飲料水収容空間と添加物収容空間）に分割するように配されている。この隔壁部材５は、図１２に示すように一枚のシート状部材（たとえば紙製あるいは樹脂製）を折り曲げ加工することによって形成され、隔壁本体５１と接着片５２，５３と落下防止壁５４〜５７とを有している。
【００８９】
隔壁本体５１の上面側には、添加物が載置されるようになっている。隔壁本体５１から延びる接着片５２，５３は容器本体２１の内壁に対して接着され（図１１参照）、その結果、容器本体２１内において隔壁部材５が確実に固定されるようになっている。また、隔壁本体５１から延びる落下防止壁５４〜５７は、隔壁本体５１上に載置された添加物が、該隔壁本体５１と容器本体２１の内壁との間から落下するのを防止する役割を担っている。
【００９０】
隔壁部材５の隔壁本体５１には、当該隔壁本体の裂開を容易にするための断面略Ｖ字状の線状ノッチ５８が予め形成されている。隔壁部材５は、図１０（Ａ）に示すように、ノッチ５８が挿通孔２２のほぼ真下の位置に来るように配されている。なお、ノッチ５８に代えて、或いはノッチ５８とともにミシン目を形成するようにしてもよい。
【００９１】
〔第２実施形態に係る容器を用いた飲用手順〕
次に、図１３に基づいて、容器４を用いた飲料の飲用手順について説明する。
図１３は、第２実施形態に係る容器４を用いた飲料の飲用手順を示す斜視図である。
【００９２】
飲用する際には、まずその前準備として、ビニール袋からストロー２３を取り出し、該ストローをシール部材に突き刺して挿通孔２２に挿通させる。さらにストロー２３を挿入し続けると、該ストローの先端部がノッチ５８に到達する（図１３（Ｂ））。
【００９３】
そして、隔壁本体５１のノッチ５８にストロー２３の先端部を突き当てた状態で、該ストローを押し込むと、図１３（Ｃ）に示すように隔壁本体５１がノッチ５８に沿って裂開して、飲料水収容空間と添加物収容空間とが連通状態になる。その結果、裂開部を介して添加物が自重により落下して飲料水に対して添加，混合される。
【００９４】
〔第２実施形態に係る容器によって達成される優れた効果〕
上述した第２実施形態に係る本発明によれば、容器本体２１には、ミネラル飲料水だけでなく、当該ミネラル飲料水に対して添加，混合される添加物（お茶，コーヒー，各種ビタミンなどの無害成分）が収容されている。この添加物は、飲用直前までは、隔壁部材５によってミネラル飲料水から完全に隔離された状態で収容されている。そして、飲用時にストロー２３を刺し込むことにより、当該ストローの先端部で隔壁部材５が破られて、添加物と飲料水とが混じり合うようになっている。
【００９５】
したがって、飲用直前において、飲料水に対して好みの成分を添加することにより、所望の飲料を自分で用意することができる。その結果、出来立てで風味の良好な飲料（たとえば炒りたてで香り豊かな味わいのコーヒー）や、保存料等の有害物質を含むことのない安全な飲料を、いつでも手軽に楽しむことが可能になる。
【００９６】
また、ストローを差し込む行為を通じて添加物を添加，混合することにより、自分に合った飲料（たとえば、好みの風味の飲料や、自分に不足している栄養分を含有した飲料）を自らの手で用意するといった作業を手軽に楽しむことができる。しかも、単にストローを刺し込むだけで、添加物が飲料水に添加，混合されるので、飲用の前準備が極めて簡単である。
【００９７】
〔第３実施形態に係る容器〕
次に、図１４及び図１５に基づいて、第３実施形態に係る本発明の容器について説明する。
図１４（Ａ）は、第３実施形態に係る飲料用容器の内部に設けられる隔壁部材８を示す斜視図である。
図１４（Ｂ）は、図１４（Ａ）の隔壁部材８が有する閉塞部材８３を拡大して示す斜視図である。
図１５は、第３実施形態に係る容器を用いた飲料の飲用手順を示す断面図である。
なお、第３実施形態に係る容器は、隔壁部材の構成を除いて、第２実施形態に係る容器と同様の構成を有している。したがって、隔壁部材の構成についてのみ以下の通りに説明する。
【００９８】
本実施形態において、隔壁部材８は、吐出口を有する略ホッパ状に形成された隔壁本体８１と、容器本体２１（図１１参照）の内壁に対して接着される接着部８２と、隔壁本体８１の吐出口を閉塞するように設けられた閉塞部材８３と、を有している。
【００９９】
隔壁本体８１の上面側には、添加材が載置されるようになっている。隔壁本体８１の吐出口を閉塞する閉塞部材８３は、連結部８４を介して隔壁本体８１と一体的に形成され、図１４（Ｂ）に示すように自在に回動できるようになっている。ただし、飲用するまでの間は、閉塞部材８３によって吐出口を閉塞するとともに、閉塞部材８３の突起８５を吐出口の縁部分に係合させてある（図１４（Ａ）に示す状態）。これにより、閉塞部材８３による閉塞状態が維持されるとともに、振動や添加物の重み等によって閉塞部材８３が開いてしまうことを防止することができる。
【０１００】
飲用する際には、まずその準備として、ビニール袋からストロー２３を取り出し、該ストローをシール部材に突き刺して挿通孔に挿通させる。さらにストロー２３を挿入し続けると、該ストローの先端部が閉塞部材８３に到達する（図１５（Ａ））。
【０１０１】
そして、閉塞部材８３にストロー２３の先端部を突き当てた状態で、該ストローを押し込むと、突起８５と吐出口の縁部との係合状態が解除され、図１５（Ｂ）に示すように閉塞部材８３が開いて吐出口が開口する。その結果、飲料水収容空間と添加物収容空間とが連通状態になり、吐出口を介して添加物が落下して飲料水に対して添加，混合される。
【０１０２】
〔第３実施形態に係る容器によって達成される優れた効果〕
上述した第３実施形態に係る本発明によれば、飲用時にストロー２３を閉塞部材８３に突き当てることによって、閉塞部材８３が開き、吐出口が開口するようになっている。したがって、極めて単純な作業で添加物又は飲料水を下方へ円滑に落下させることができるので、添加物と飲料水との混合作業を円滑に行うことができる。
【産業上の利用可能性】
【０１０３】
本発明は、風味の良好な飲料（たとえば炒りたてで香り豊かな味わいのコーヒー）や、保存料等の有害物質を含むことのない安全な飲料を、いつでも手軽に楽しむことを可能にする容器を提供するのに好適である。
【図面の簡単な説明】
【０１０４】
【図１】第１実施形態に係る本発明の飲料用容器の主要部分を示す縦断面図である。
【図２】図１の容器が有する容器本体を示す縦断面図である。
【図３】図１の容器が有するカートリッジを示す図であって、図３（Ａ）はカートリッジを示す斜視図であり、図３（Ｂ）はカートリッジを示す上面図であり、図３（Ｃ）は図３（Ｂ）のｂ−ｂ線に沿った断面図である。
【図４】図１の容器が有する穿孔部材を示す図であって、図４（Ａ）は穿孔部材を示す上面図であり、図４（Ｂ）は穿孔部材を示す側面図である。
【図５】図１に示す容器を用いて飲用する際の手順（１）を示す図である。
【図６】図１に示す容器を用いて飲用する際の手順（２）を示す図である。
【図７】図１に示す容器を用いて飲用する際の手順（３）を示す図である。
【図８】図１に示す容器を用いて飲用する際の手順（４）を示す図である。
【図９】第２実施形態に係る本発明の飲料用容器を示す斜視図である。
【図１０】図１０（Ａ）は図９の容器を上面側から見た透視図であり、図１０（Ｂ）は、図９の容器を側面側から見た透視図である。
【図１１】図９の容器の内部構成を示す斜視図である。
【図１２】図１２（Ａ）は容器本体内に取り付けられている状態の隔壁部材を示す斜視図であり、図１２（Ｂ）は図１２（Ａ）の隔壁部材を展開した状態を示す斜視図である。
【図１３】第２実施形態に係る容器を用いた飲料の飲用手順を示す斜視図である。
【図１４】図１４（Ａ）は第３実施形態に係る飲料用容器の内部に設けられる隔壁部材を示す斜視図であり、図１４（Ｂ）は図１４（Ａ）の隔壁部材が有する閉塞部材を拡大して示す斜視図である。
【図１５】第３実施形態に係る容器を用いた飲料の飲用手順を示す断面図である。
【図１６】一般的に市販されているタイプのＰＥＴボトル入り飲料を示す図である。
【符号の説明】
【０１０５】
１        容器（第１実施形態）
２        ミネラル飲料水
３        添加物
４        容器（第２実施形態）
５        隔壁部材（第２実施形態）
８        隔壁部材（第３実施形態）
１１      容器本体
１３      口元部分
１５      段部
１７      アルミ箔（シール材）
１９      開口部（通路）
２１      容器本体
２２      挿通孔
２３      ストロー
２８      飲料水収容部
２９      添加物収容部
３１      キャップ
４１      カートリッジ
４３      側壁
４５      天板
４６      把手
４７      フランジ部
４９      アルミ箔（シール材）
５１      隔壁本体
５２      接着片
５３      接着片
５４      落下防止壁
５５      落下防止壁
５６      落下防止壁
５７      落下防止壁
５８      ノッチ
６１      穿孔部材（孔あけバネ）
６３      上突起
６５      下突起
８１      隔壁本体
８２      接着部
８３      閉塞部材
８４      連結部
８５      突起
【図１】
2006176208.tif 000003
【図２】
2006176208.tif 000004
【図３】
2006176208.tif 000005
【図４】
2006176208.tif 000006
【図５】
2006176208.tif 000007
【図６】
2006176208.tif 000008
【図７】
2006176208.tif 000009
【図８】
2006176208.tif 000010
【図９】
2006176208.tif 000011
【図１０】
2006176208.tif 000012
【図１１】
2006176208.tif 000013
【図１２】
2006176208.tif 000014
【図１３】
2006176208.tif 000015
【図１４】
2006176208.tif 000016
【図１５】
2006176208.tif 000017
【図１６】
2006176208.tif 000018